(57)【要約】【課題】  本発明は、巻回軸にロール状に巻き付けられた巻装発泡シートを巻き緩めることができる発泡シートの巻き緩め装置を提供する。【解決手段】  本発明の発泡シートの巻き緩め装置Ａは、巻回軸Ｂにロール状に巻き付けられた巻装発泡シートＣの巻き緩め装置であって、巻装発泡シートを起立状態で上載させるテーブル面１に、巻回軸Ｂの下端部に挿着して巻装発泡シートＣをその巻き付け方向に回転させる回転中心軸体２と、この回転中心軸体２を中心にして放射状に配設されて発泡シートＣの下端面を受止する複数個の円錐状回転体３と、この円錐状回転体３の回転駆動モータM2とを配設し、巻装発泡シートの下端面と、駆動モータM2により所定の回転力でもって回転している円錐状回転体３との間に、巻装発泡シートＣを巻き緩める方向に制動する摺接摩擦力を発生させるように構成していることを特徴とする。【選択図】    図１
2005247495.tif 000002
【特許請求の範囲】
【請求項１】
巻回軸にロール状に巻き付けられた巻装発泡シートの巻き緩め装置であって、巻装発泡シートを起立状態で上載させるテーブル面に、上記巻回軸の下端部に挿着して上記巻装発泡シートをその巻き付け方向に回転させる回転中心軸体と、この回転中心軸体を中心にして放射状に配設されて上記発泡シートの下端面を受止する複数個の円錐状回転体と、この円錐状回転体の回転駆動モータとを配設し、上記テーブル上で回転させている上記巻装発泡シートの下端面と、上記駆動モータにより所定の回転力でもって回転している上記円錐状回転体との間に、上記巻装発泡シートを巻き緩める方向に制動する摺接摩擦力を発生させるように構成していることを特徴とする発泡シートの巻き緩め装置。    
【請求項２】
円錐状回転体における巻装発泡シートの受止面を外方に向かって斜め下方に傾斜させていることを特徴とする請求項１に記載の発泡シートの巻き緩め装置。
【請求項３】
巻装発泡シートの外周方に、該発泡シートの最外周面に押圧させて発泡シートの外周部を巻き緩め方向に制動するブレーキ部材を配設していることを特徴とする請求項１又は請求項２に記載の発泡シートの巻き緩め装置。
【請求項４】
ブレーキ部材は、回転軸が発泡シートの巻回軸に対して平行な回転体からなり、この回転体の外周面を発泡シートの最外周面に押圧させるように構成していることを特徴とする請求項３に記載の発泡シートの巻き緩め装置。
【発明の詳細な説明】
【技術分野】
【０００１】
本発明は、巻回軸にロール状に巻き付けられた巻装発泡シートの巻き緩め装置に関する。
【背景技術】
【０００２】
従来から、ポリエチレンなどのポリオレフィン系樹脂発泡シートは、ポリオレフィン系樹脂を押出機に供給して溶融混練した後、この押出機の先端に取り付けられたサーキュラー金型から円筒状に押出発泡させ、この円筒状発泡体を押出方向に連続的に切断、展開させてシート状とした上で巻取り機に着脱自在に配設された巻回軸に巻き取られる。
【０００３】
そして、押出機に取り付けられたサーキュラー金型から押出発泡された発泡体は、その後の温度低下と発泡体中に含有される発泡剤の散逸が原因となって収縮し、押出機のサーキュラー金型から発泡させた直後の発泡体の厚みよりも、巻取り機に巻き取られる時点における発泡体の厚みの方が薄くなっている。
【０００４】
そこで、この発泡体の収縮を抑えるために、収縮防止剤としてステアリン酸モノグリセライドなどを発泡体中に添加させることが行なわれているものの、発泡体の収縮を充分に抑えることはできず、しかも、収縮防止剤を発泡体に添加すると、発泡体が接触する被接触体に収縮防止剤が転写し、被接触体の表面光沢などの外観性が低下するといった問題点があった。
【０００５】
又、押出機から押出発泡させて得られた発泡シートを巻取り機に着脱自在に配設した巻回軸にロール状に巻き付けるにあたり、発泡シートをその幅方向に妄動（蛇行）させることなく巻回軸に巻き付けるために、発泡シートにその長さ方向にある程度の張力をかけておく必要がある。
【０００６】
一方、上述のように押出機から押出発泡された発泡シートは一旦、収縮するものの、発泡シートにその厚み方向に圧縮力を加えない状態で熟成させると、時間の経過にしたがって気泡内に空気が進入して厚みが回復する。しかしながら、巻回軸にロール状に巻き付けられた発泡シートは、上述のように、巻回軸に比較的きつく巻き締められており、互いに内外方向に隣接する発泡シート部分間に隙間がなく、発泡シートがその厚みを回復させる余地がない。
【０００７】
従って、この巻回状態のまま発泡シートを熟成させると、発泡シートは、その厚みが薄いものとなってしまう。更に、発泡シートは、その内外方向に亘って均一な巻き付け力で巻回軸に巻き付けられているわけではなく、内周側になるにしたがって大きな巻き付け力で巻回軸に巻き付けられていることから、熟成後の発泡シートは、内周側になるにしたがって薄くなってしまい、厚みが不均一になるといった問題点もあった。
【０００８】
そこで、熟成中に発泡シートがその厚みを回復させる余地を作るために、巻回軸にロール状に巻き付けた発泡シートを巻き緩めて、互いに内外方向に隣接する発泡シート部分に隙間を形成して発泡シートにその厚み方向に圧縮力が加わらないようにし、この隙間を利用して発泡シートがその厚みを回復できるようにすることが行なわれている。
【０００９】
このような方法として、特許文献１には、発泡シートを巻回軸に巻回させるにあたって互いに内外方向に隣接する発泡シート間に所定間隔毎に棒状体を介装し、発泡シートを巻回軸に巻き付け終わった後、上記棒状体を発泡シート間から抜き取ることによって、互いに内外方向に隣接する発泡シート間に隙間を形成する方法が提案されている。
【００１０】
しかしながら、上記方法では、発泡シート間に棒状体を介装するといった面倒な作業を行なう必要がある上に、棒状体を介装させた発泡シート部分と、そうでない発泡シート部分とでは、互いに内外方向に隣接する発泡シート間に形成される隙間に大小が生じ、その結果、熟成後に得られる発泡シートの厚みが不均一になるといった問題点があった。
【００１１】
又、巻回軸に巻き付けた発泡シートをその巻回軸が水平状態となるように配設し、発泡シートの外周端を所定長さ分だけ巻き緩めた後、上記巻回軸を発泡シートの巻き付け方向とは反対の方向に回転させることによって、発泡シートを巻き緩める方法も記載されている。
【００１２】
しかしながら、この方法では、巻回軸を水平な状態にして回転させているので、この巻回軸に巻き付けた発泡シートの重量の影響を受けて巻回軸を円滑に回転させることができないと共に、発泡シートは巻回軸に吊支された状態となっていることから自重によって厚み差が生じ易いといった問題点の他に、発泡シートを巻き緩める際に、発泡シートの幅方向の両端部を規制していないことから、発泡シートは、巻き緩められる途上において、幅方向に妄動（蛇行）し、巻き緩められた発泡シートが所謂、竹の子状となってしまうことがあるといった問題点があった。
【００１３】
【特許文献１】特公昭４６−４１７１１号公報
【発明の開示】
【発明が解決しようとする課題】
【００１４】
本発明は、巻回軸にロール状に巻き付けられた巻装発泡シートをその内外方向の全長に亘って略均一に且つ幅方向の両端面が略揃った状態に巻き緩めることができる発泡シートの巻き緩め装置を提供する。
【課題を解決するための手段】
【００１５】
請求項１に記載の発泡シートの巻き緩め装置は、巻回軸にロール状に巻き付けられた巻装発泡シートの巻き緩め装置であって、巻装発泡シートを起立状態で上載させるテーブル面に、上記巻回軸の下端部に挿着して上記巻装発泡シートをその巻き付け方向に回転させる回転中心軸体と、この回転中心軸体を中心にして放射状に配設されて上記発泡シートの下端面を受止する複数個の円錐状回転体と、この円錐状回転体の回転駆動モータとを配設し、上記テーブル上で回転させている上記巻装発泡シートの下端面と、上記駆動モータにより所定の回転力でもって回転している上記円錐状回転体との間に、上記巻装発泡シートを巻き緩める方向に制動する摺接摩擦力を発生させるように構成していることを特徴とする。
【００１６】
そして、請求項２に記載の発泡シートの巻き緩め装置は、請求項１に記載の発泡シートの巻き緩め装置において、円錐状回転体における巻装発泡シートの受止面を外方に向かって斜め下方に傾斜させていることを特徴とする。
【００１７】
又、請求項３に記載の発泡シートの巻き緩め装置は、請求項１又は請求項２に記載の発泡シートの巻き緩め装置において、巻装発泡シートの外周方に、該発泡シートの最外周面に押圧させて発泡シートの外周部面部を巻き緩め方向に制動するブレーキ部材を配設していることを特徴とする。
【００１８】
最後に、請求項４に記載の発泡シートの巻き緩め装置は、請求項３に記載の発泡シートの巻き緩め装置において、ブレーキ部材は、回転軸が発泡シートの巻回軸に対して平行な回転体からなり、この回転体の外周面を発泡シートの最外周面に押圧させるように構成していることを特徴とする。
【発明の効果】
【００１９】
本発明の発泡シートの巻き緩め装置は、巻回軸にロール状に巻き付けられた巻装発泡シートの巻き緩め装置であって、巻装発泡シートを起立状態で上載させるテーブル面に、上記巻回軸の下端部に挿着して上記巻装発泡シートをその巻き付け方向に回転させる回転中心軸体と、この回転中心軸体を中心にして放射状に配設されて上記発泡シートの下端面を受止する複数個の円錐状回転体と、この円錐状回転体の回転駆動モータとを配設し、上記テーブル上で回転させている上記巻装発泡シートの下端面と、上記駆動モータにより所定の回転力でもって回転している上記円錐状回転体との間に、上記巻装発泡シートを巻き緩める方向に制動する摺接摩擦力を発生させるように構成していることを特徴とするので、巻装発泡シートの外周層から内周層に亘る各発泡シート層の全てに、この巻装発泡シートの回転中心軸体による巻き付け方向への回転周速度と、この回転周速度よりも遅い円錐状回転体の周速度との差による積極的な巻き緩め力を発生させることができ、この巻き緩め力によって、巻装発泡シートを外層から内層に向かって順次、円滑に且つ均一に巻き緩めていくことができる。
【００２０】
そして、巻装発泡シートは、巻き緩め装置のテーブル面上に起立した状態で巻き緩められることから、巻装発泡シートの巻き緩め中における自重の影響を減少させて、発泡シートに厚みの不均一が発生するのを防止することができ、厚みが均一な発泡シートを得ることができる。
【００２１】
更に、上記巻き緩め装置は、巻装発泡シートを円錐状回転体上に載置させて下端面を規制した状態で巻き緩めているので、巻き緩められた発泡シートを、外周層から内周層の全層に亘って上下方向にずれることなく径方向に平坦状に揃えて円柱状に美麗に整えることができる。
【００２２】
従って、その後の発泡シートの養生を起立させた状態で行なって全層が自重による圧縮力などの影響を受けることなく、発泡シートの厚みを略均一な状態に回復させることができると共に、厚みを回復させた発泡シートは円柱状を保持していることから保管及び輸送時における取り扱い性にも優れている。
【００２３】
そして、上記発泡シートの巻き緩め装置において、円錐状回転体における巻装発泡シートの受止面を外方に向かって斜め下方に傾斜させている場合には、巻装発泡シートにおける巻き緩められた発泡シート層を外方に、即ち、各発泡シート層間に隙間を生じさせようとする方向に円滑に誘導、変位させることができ、巻装発泡シートをより円滑に且つ確実に巻き緩めることができる。
【００２４】
又、上記発泡シートの巻き緩め装置において、巻装発泡シートの外周方に、該発泡シートの最外周面に押圧させて発泡シートの外周部面部を巻き緩め方向に制動するブレーキ部材を配設している場合には、巻装発泡シートにおける最外周部の発泡シート層を強制的に制動して大きな巻き緩め力を加えて、巻装発泡シートの巻き緩めをより円滑に行なうことができる。
【００２５】
最後に、上記発泡シートの巻き緩め装置において、ブレーキ部材が、回転軸が発泡シートの巻回軸に対して平行な回転体からなり、この回転体の外周面を発泡シートの最外周面に押圧させるように構成している場合には、巻装発泡シートの最外周面に該巻装発泡シート表面に傷などをつけることなく所定の制動力を付与することができ、巻装発泡シートを美麗な状態に安定的に巻き緩めることができる。
【発明を実施するための最良の形態】
【００２６】
本発明の発泡シートの巻き緩め装置の一例を図面を参照しつつ説明する。発泡シートの巻き緩め装置Ａのテーブル面１は、図１及び図２に示したように、巻装発泡シートＣの直径よりも大径の平面円形状に形成されている。上記巻装発泡シートＣは、上記テーブル面１上に垂直に起立した状態に載置されるもので、一定長さを有する円筒状の巻回軸Ｂに一定幅を有する長尺状の発泡シートをロール状に巻き付けてなるものである。
【００２７】
そして、巻き緩め装置Ａのテーブル面１の中心部には、上記巻回軸Ｂの下端部内に着脱自在に挿着されて巻装発泡シートＣをその巻き付け方向に回転させる略円柱状の回転中心軸体２が上方に向かって突出した状態に配設されており、この回転中心軸体２は駆動モータM1によって上記巻装発泡シートＣの巻き付け方向に回転するように構成されている。
【００２８】
なお、回転中心軸体２の外周面には、その周方向に所定間隔毎に複数個のチャック片が出没自在に配設されており、巻回軸Ｂの下端部を回転中心軸体２に被嵌させた状態で、回転中心軸体２のチャック片を外方に向かって突出させて、何れか一つのチャック片を巻回軸Ｂの下端部内周面に凹設した嵌合凹部に嵌脱自在に嵌合させると共に、残余のチャック片を巻回軸Ｂの下端部内周面に圧接させることによって、巻装発泡シートＣを巻き付けている巻回軸Ｂを回転中心軸体２に着脱自在に固定するように構成されている。
【００２９】
更に、巻き緩め装置Ａのテーブル面１には、周方向に等間隔毎に円錐状回転体３、３・・・が複数個（図１では６個）、その小径部を回転中心軸体２側に、大径部を外方に向けた状態にして上記回転中心軸体２を中心として放射状に配設されている。
【００３０】
上記各円錐状回転体３は、その上周面がテーブル面１から僅かに上方に向かって突出した状態に配設されており、この円錐状回転体３の突出部分に巻装発泡シートＣが上載される。更に、各円錐状回転体３における巻装発泡シートＣの下端面を受止する上記突出部分、即ち、上周面における頂面をテーブル面１の中心側から外周端に向かって水平状又は斜め下方に緩やかに傾斜した受止面31に形成している。
【００３１】
そして、これらの円錐状回転体３は全て、回転駆動モータM2によって、受止面31の回転方向が巻装発泡シートＣの巻き付け方向となるように同一速度で強制的に回転されるように構成されている。なお、図２では、各円錐状回転体３に回転駆動モータM2を別々に接続しているが、一つの回転駆動モータM2で全ての円錐状回転体３を回転させるようにしてもよい。
【００３２】
又、巻装発泡シートＣは回転中心軸体２によって発泡シートの巻き付け方向に回転させられるが、この巻装発泡シートＣにおける回転中心軸体２による任意の発泡シート層の回転周速度と、この発泡シート層を受止している円錐状回転体３の受止面31部分の回転周速度とを比較した場合に、発泡シート層の回転周速度が円錐状回転体３の受止面31部分の回転周速度よりも常に速くなるようにして、発泡シート層に外周層から内周層の全層にわたり巻装発泡シートＣを巻き緩める方向に制動する摺接摩擦力が発生するように構成している。この調整は、回転中心軸体２及び円錐状回転体３の回転速度をそれぞれ調整することによって行なわれる。
【００３３】
つまり、巻装発泡シートＣにおける回転中心軸体２による発泡シート層の回転周速度と、この発泡シート層を受止している円錐状回転体３の受止面31部分の回転周速度とが同一速度であると、巻装発泡シートの発泡シート層とこれを受止する円錐状回転体との間に摺接摩擦力が発生せず、巻装発泡シートＣの巻き緩めが行なわれない。
【００３４】
更に、巻装発泡シートＣにおける回転中心軸体２による発泡シート層の回転周速度よりも、この発泡シート層を受止している円錐状回転体３の受止面31部分の回転周速度の方が速くなると、巻装発泡シートＣの発泡シート層にその巻き付け方向に力が加わってしまい、巻装発泡シートが反対に巻き締めされてしまう。
【００３５】
従って、巻装発泡シートＣにおける回転中心軸２による発泡シート層の回転周速度が、円錐状回転体３の受止面31部分の回転周速度よりも常に速くなるようにして、発泡シート層に巻装発泡シートＣを巻き緩める方向に制動する摺接摩擦力を付与する必要がある。
【００３６】
更に、巻き緩め装置Ａのテーブル面１の外方にはブレーキ部材４が配設されていてもよい。具体的には、上記ブレーキ部材４は、図３に示したように、上下方向に所定間隔を存して平行に配設された一対の平面略半円形状の上下支持板41、42間に、複数個の円柱状の制動回転体43、43・・・を該上下支持板41、42の円弧状端縁に沿って順次、連ねた状態に回転自在に配設してなる。なお、各制動回転体43は、その外半部が上下支持板41、42の円弧状端縁から外方に突出し且つ回転軸がテーブル面１上に立設された巻装発泡シートＣを巻き付けている巻回軸Ｂの軸芯に平行な状態に配設されている。
【００３７】
そして、上記ブレーキ部材４をその制動回転体43、43・・・がテーブル面１方向を向いた状態に配設し、ブレーキ部材４の制動回転体43、43・・・の外周面を、テーブル面１に上載させた巻装発泡シートＣの最外周面に押圧させて発泡シートＣの外周部を巻き緩め方向に制動するように構成している。なお、上記ブレーキ部材４は、テーブル面１の径方向に変位可能に配設されており、巻装発泡シートＣの径に合わせて調整できるように構成されている。
【００３８】
次に、上記発泡シートの巻き緩め装置Ａの使用要領について説明する。先ず、発泡シートの巻き緩め装置Ａに用いられる巻装発泡シートＣの製造要領について説明する。この巻装発泡シートＣは、汎用の押出発泡方法を用いて製造され、例えば、ポリオレフィン系樹脂やポリスチレン系樹脂などの熱可塑性樹脂及び発泡剤を押出機に供給して押出機の先端に取り付けたサーキュラー金型から押出発泡させ、得られた円筒状発泡体の一部を押出方向に連続的に内外面間に亘って貫通した状態に切断して展開し、この円筒状発泡体を展開して得られた発泡シートをその押出方向に所定の張力をかけつつ、巻取り機に着脱自在に取り付けた巻回軸Ｂに順次、巻き付けていき所定径を有する巻装発泡シートＣを製造することができる。
【００３９】
このようにして得られた巻装発泡シートＣを起立状態とし、この巻装発泡シートを巻き付けている巻回軸Ｂの下端部を巻き緩め装置Ａの回転中心軸体２に被嵌させた後、この回転中心軸体２の複数個のチャック片を外方に向かって突出させ、何れか一つのチャック片を巻回軸Ｂの嵌合凹部に嵌脱自在に嵌合させると共に残余のチャック片を巻回軸Ｂの下端部内周面に圧接させて、巻装発泡シートＣを巻き付けている巻回軸Ｂを回転中心軸体２に着脱自在に固定させ、巻装発泡シートＣを起立状態にテーブル面１上に安定的に載置する（図１及び図２参照）。
【００４０】
しかる後、図１及び図４に示したように、巻装発泡シートＣの最外層部を所定長さ分だけ巻き緩め、この巻き緩めた巻装発泡シートＣの先端を巻装発泡シートＣの次層の周面に粘着テープなどを用いて固定して巻装発泡シートＣの最外層部が外方に向かって平面円弧状に弛んだ弛み部C1を形成し、この弛み部C1とこれに対向する内層側の発泡シート層C2との間に平面三日月状の空気層D1を形成する。なお、巻回発泡シートＣの最外層部の下端面が円錐状回転体３の受止面31上に受止された状態となるようにする。
【００４１】
この状態にして、巻き緩め装置Ａの回転中心軸体２を駆動モータM1を作動させて回転させることにより巻装発泡シートＣをその巻き付け方向（図４において時計回り方向）に一定速度で回転させると共に、全ての円錐状回転体３を駆動モータM2を作動させて受止面31が巻装発泡シートＣの巻き付け方向となるように同一速度で回転させる。この時、巻装発泡シートＣにおける任意の発泡シート層の回転周速度よりも、この発泡シート層を受止している円錐状回転体３の受止面31部分の回転周速度が常に遅くなるように、回転中心軸体２及び各円錐状回転体３の回転速度を調整する。
【００４２】
すると、巻装発泡シートＣには、その外周層から内周層に亘る何れの発泡シート層にも円錐状回転体３との間において巻装発泡シートＣの回転方向（巻き付け方向）とは反対方向（図４において反時計回り方向）に摺接摩擦力（図４における点線状の矢印）が発生し、この摺接摩擦力によって、巻装発泡シートＣの外周層から内周層に亘る全層が巻き緩む方向に常時、付勢される。なお、実線の矢印は、巻装発泡シートＣ全体の回転方向である。
【００４３】
この巻き緩め力によって、巻装発泡シートＣにおける上記弛み部C1が巻装発泡シートＣの回転方向と逆方向に最外層部から次層側に向かって相対移動する。つまりこの弛み部C1とこれに対向する内層側の発泡シート層C2との間に形成された空気層D1は、巻装発泡シートＣの円弧に沿って外周層側から内周層側に向かって連続的に移行していく。この空気層D1の移行にしたがって該空気層D1が通過する内層側の発泡シート層C2が上記巻き緩め力によって空気層D1内に僅かに膨出し、弛み部C1と発泡シート層C2との間に僅かな空気層D1' が形成される一方、残余の空気層D2は、巻き緩められた発泡シート層C2と、この発泡シート層C2に内方に隣接する発泡シート層C3との間に、上述したように、巻装発泡シートＣの周方向に変位しながら巻装発泡シートＣの中心層に向かって円滑に移動する（図５参照）。
【００４４】
続いて、巻装発泡シートＣにおける外周層から内周層に亘る全発泡シート層には、上述の通り、巻装発泡シートＣの巻き緩め力が常時、付勢されていることから、巻装発泡シートＣの発泡シート層C2が巻き緩められて弛み部C1方向に移動すると直ちに、この発泡シート層C2に内方に隣接する発泡シート層C3が巻き緩め力によって空気層D2内に僅かに膨出して巻き緩められ、発泡シート層C2と発泡シート層C3との間に僅かな空気層D2' が形成される一方、残余の空気層D3は、巻き緩められた発泡シート層C3と、この発泡シート層C3に内方に隣接する発泡シート層C4との間に、巻装発泡シートＣの周方向に変位しながら巻装発泡シートＣの中心層に向かって円滑に移動する（図６参照）。
【００４５】
このように、巻装発泡シートＣにおける外周層から内周層に亘る全ての発泡シート層には常時、巻き緩め力が加えられていることから、各発泡シート層は、これに外方に隣接する発泡シート層が巻き緩め力によって巻き緩められると直ちに、外方に隣接する発泡シート層との間に形成された空気層内に順次、膨出して巻き緩められる。
【００４６】
そして、巻き緩める前に巻装発泡シートＣに形成した空気層D1は、最終的に、巻装発泡シートＣにおける互いに内外方に隣接する発泡シート層間に略均一に分散した状態となって、巻装発泡シートＣは、その内周層から外周層に亘って全体的に略均一に巻き緩められる。
【００４７】
ここで、巻装発泡シートＣにおける回転中心軸２による発泡シート層の回転周速度が、円錐状回転体３の受止面31部分の回転周速度よりも速くし過ぎると、回転中心軸体２による巻装発泡シートＣの巻き緩め力が大きくなり過ぎて、発泡シートが平面円弧状に維持されたまま巻装発泡シートＣの周方向に変位する代りに途中で折れ曲がってしまうことがある。このように、発泡シートが折れ曲がってしまうと巻装発泡シートＣを巻き緩めることができない。
【００４８】
よって、巻装発泡シートＣにおける回転中心軸２による発泡シート層の回転周速度が、この発泡シート層を受止している円錐状回転体３の受止面31部分の回転周速度よりも若干速い程度となるように、回転中心軸体２及び円錐状回転体３の回転速度を調整することが好ましい。
【００４９】
又、巻き緩め装置Ａを用いて巻装発泡シートＣを巻き緩めるにあたって、巻装発泡シートＣにおける内外方向に隣接する発泡シート層間の摩擦力が上述した巻き緩め力よりも大きい場合や、巻き緩められて外方に膨出した発泡シート層が外方に隣接する発泡シート層の特定箇所に圧接した状態のまま滞留してそれ以上の巻き緩めが進まなくなった場合には、巻装発泡シートＣが各発泡シート層が巻き緩むことなく全体的に一体に回転する、所謂、共回りが発生することがある。
【００５０】
このような場合には、図７に示したように、巻装発泡シートＣにおける空気層の存在により、この空気層から巻装発泡シートＣの外層シート部分に形成されている膨出部Ｅの回転進行方向の膨出外面E1に係合状態にブレーキ部材４の制動回転体43を押圧させて巻装発泡シートＣの外周部を発泡シートの巻き緩め方向に強制的に制動し、この制動力によって上記空気層を巻き緩め方向に移動させながら上記巻装発泡シートＣの巻き緩めを確実に行なうことができる。
【００５１】
以上のように、巻装発泡シートＣは、その下端面が円錐状回転体３、３・・・によって受止された状態で上述のように巻き緩められることから、巻き緩められた後の発泡シートは、その外周層から内周層の全層に亘って上下方向にずれることなく径方向に平坦状に揃えて円柱状に美麗に整えられた状態となっており、その後の発泡シートの養生を起立させた状態で行なうことができ、発泡シートの自重の影響を最小限にして発泡シートの厚みの回復を図ることができると共に、厚みが回復した後の発泡シートは、その保管や輸送時の取り扱い性に優れている。
【図面の簡単な説明】
【００５２】
【図１】本発明の発泡シートの巻き緩め装置を示した斜視図である。
【図２】本発明の発泡シートの巻き緩め装置を示した模式垂直断面図である。
【図３】ブレーキ部材を示した斜視図である。
【図４】巻装発泡シートを発泡シートの巻き緩め装置に起立状態に配設した状態を示した平面図である。
【図５】巻装発泡シートを発泡シートの巻き緩め装置を用いて巻き緩めている途上状態を示した平面図である。
【図６】巻装発泡シートを発泡シートの巻き緩め装置を用いて巻き緩めている途上状態を示した平面図である。
【図７】巻装発泡シートを発泡シートの巻き緩め装置を用いて巻き緩めている途上状態を示した平面図である。
【符号の説明】
【００５３】
１  テーブル面
２  回転中心軸体
３  円錐状回転体
４  ブレーキ部材
43  制動回転体
Ａ  発泡シートの巻き緩め装置
Ｂ  巻回軸
Ｃ  巻装発泡シート
C1  弛み部
C2,C3,C4  発泡シート層
D1,D1',D2,D2',D3  空気層
【図１】
2005247495.tif 000003
【図２】
2005247495.tif 000004
【図３】
2005247495.tif 000005
【図４】
2005247495.tif 000006
【図５】
2005247495.tif 000007
【図６】
2005247495.tif 000008
【図７】
2005247495.tif 000009